(57)【要約】【課題】主に、粉ミルク缶などに用いる容器に取り付けられた、不正開封防止用のピルファープルーフバンド付きオーバーキャップにおいて、ピルファープルーフバンドを切除することなく、オーバーキャップをストレート缶から取り外すことを防止することが可能な、オーバーキャップ付きストレート缶を提供する。【解決手段】本発明は、円筒状のストレート缶と、該ストレート缶の天面を覆うオーバーキャップとからなる、オーバーキャップ付きストレート缶において、前記オーバーキャップは、前記ストレート缶の天面に着脱可能なオーバーキャップ本体と初期開封時に切除されるピルファープルーフバンドとからなり、前記ストレート缶の、前記ストレート缶と前記ピルファープルーフバンドとが接する箇所の直下若しくは直上に、凸部を形成することにより、前記ピルファープルーフバンドの切除前において、ピルファープルーフバンド下端から指先を掛けて、オーバーキャップを取り外すことを防止することを特徴とする、オーバーキャップ付きストレート缶である。【選択図】図１
2008207828.tif 000002
【特許請求の範囲】
【請求項１】
円筒状のストレート缶と、該ストレート缶の天面を覆うオーバーキャップとからなる、オーバーキャップ付きストレート缶において、
前記オーバーキャップは、前記ストレート缶の天面に着脱可能なオーバーキャップ本体と初期開封時に切除されるピルファープルーフバンドとからなり、
前記ストレート缶の、前記ストレート缶と前記ピルファープルーフバンドとが接する箇所の直下に、凸部を形成することにより、前記ピルファープルーフバンドの切除前において、ピルファープルーフバンド下端から指先を掛けて、オーバーキャップを取り外すことを防止することを特徴とする、オーバーキャップ付きストレート缶。
【請求項２】
前記ストレート缶の、前記ストレート缶と前記ピルファープルーフバンドとが接する箇所の直下および直上に、それぞれ凸部を形成することにより、前記ピルファープルーフバンドの切除前において、ピルファープルーフバンド下端から指先を掛けて、オーバーキャップを取り外すことを防止するとともに、オーバーキャップの上方向への移動を阻止することを特徴とする、請求項１記載のオーバーキャップ付きストレート缶。
【請求項３】
前記ストレート缶の、前記ストレート缶と前記ピルファープルーフバンドとが接する箇所の直下および直上に、それぞれ凸部を形成するとともに、前記凸部間の前記ストレート缶の外径を大きく形成することにより、ピルファープルーフバンドをストレート缶に密着させたことを特徴とする、請求項１乃至２記載のオーバーキャップ付きストレート缶。
【請求項４】
前記ストレート缶の、前記ストレート缶と前記ピルファープルーフバンドとが接する箇所の直下又は直上に形成した、前記凸部の頂点部分に、ストレート部を設けたことを特徴とする、請求項１乃至３記載のオーバーキャップ付きストレート缶。
【発明の詳細な説明】
【技術分野】
【０００１】
本発明は、主に粉ミルク缶等に用いられる、円筒状のストレート缶と、該ストレート缶の天面を覆うオーバーキャップとからなる、オーバーキャップ付きストレート缶の、不正開封防止に関する。
【背景技術】
【０００２】
従来より、粉ミルクなどを収容する円筒形状の金属製の缶（ストレート缶１）に着脱自在なオーバーキャップ２０が形成されたオーバーキャップ付きストレート缶１０が用いられている。特に、図８（ａ）（ｂ）に示すように、ストレート缶１の上方には、流通段階での不正開封を防止するため、ピルファープルーフバンド付きのオーバーキャップ２０が取り付けられており、ピルファープルーフバンド３を切除した後において、初めてオーバーキャップ本体２の取り外しが可能となるため、ピルファープルーフバンド３の有無により商品開封の有無を判別する不正開封防止の効果を奏するものである（例えば、特許文献１、特許文献２）。
【０００３】
しかしながら、ピルファープルーフバンド３を切除することなく（初期開封前において）、ピルファープルーフバンド３の下端部分Ｘに指先を掛けて持ち上げると、図９（ｂ）に示すように、ピルファープルーフバンド３がストレート缶１を乗り越えて、オーバーキャップ２とともに取り外されてしまう恐れがある（不正開封）。さらには、オーバーキャップ２０を再びもとに戻すと、図９（ａ）に示すように、外観からは、オーバーキャップ２０が一旦取り外されたことがわからないという問題がある。
【０００４】
【特許文献１】特開２００５−１１２４６５号公報
【特許文献２】特開平６−１７１６６１号公報
【発明の開示】
【発明が解決しようとする課題】
【０００５】
本発明は、このような問題点を解決するためになされたものであり、その課題は、主に、粉ミルク缶などに用いるストレート缶に取り付けられた、不正開封防止用のピルファープルーフバンド付きオーバーキャップを備えたオーバーキャップ付きストレート缶において、ピルファープルーフバンドを切除することなく、オーバーキャップをストレート缶から取り外すことを防止することが可能な、オーバーキャップ付きストレート缶を提供することである。
【課題を解決するための手段】
【０００６】
そこで、これらの課題を解決するため、本発明の請求項１記載の発明は  円筒状のストレート缶と、該ストレート缶の天面を覆うオーバーキャップとからなる、オーバーキャップ付きストレート缶において、前記オーバーキャップは、前記ストレート缶の天面に着脱可能なオーバーキャップ本体と初期開封時に切除されるピルファープルーフバンドとからなり、前記ストレート缶の、前記ストレート缶と前記ピルファープルーフバンドとが接する箇所の直下に、凸部を形成することにより、前記ピルファープルーフバンドの切除前において、ピルファープルーフバンド下端から指先を掛けて、オーバーキャップを取り外すことを防止することを特徴とする、オーバーキャップ付きストレート缶である。
【０００７】
また、本発明の請求項２記載の発明は、前記ストレート缶の、前記ストレート缶と前記ピルファープルーフバンドとが接する箇所の直下および直上に、それぞれ凸部を形成することにより、前記ピルファープルーフバンドの切除前において、ピルファープルーフバンド下端から指先を掛けて、オーバーキャップを取り外すことを防止するとともに、オーバーキャップの上方向への移動を阻止することを特徴とする、オーバーキャップ付きストレート缶である。
【０００８】
また、本発明の請求項３記載の発明は、前記ストレート缶の、前記ストレート缶と前記ピルファープルーフバンドとが接する箇所の直下および直上に、それぞれ凸部を形成するとともに、前記凸部間の前記ストレート缶の外径を大きく形成することにより、ピルファープルーフバンドをストレート缶に密着させたことを特徴とする、オーバーキャップ付きストレート缶である。
【０００９】
また、本発明の請求項４記載の発明は、前記ストレート缶の、前記ストレート缶と前記ピルファープルーフバンドとが接する箇所の直下又は直上に形成した、前記凸部の頂点部分に、ストレート部を設けたことを特徴とする、オーバーキャップ付きストレート缶である。
【発明の効果】
【００１０】
本発明の請求項１記載の発明は、円筒状のストレート缶と、該ストレート缶の天面を覆うオーバーキャップとからなる、オーバーキャップ付きストレート缶において、前記オーバーキャップは、前記ストレート缶の天面に着脱可能なオーバーキャップ本体と初期開封時に切除されるピルファープルーフバンドとからなり、前記ストレート缶の、前記ストレート缶と前記ピルファープルーフバンドとが接する箇所の直下に、凸部を形成することにより、前記ピルファープルーフバンドの切除前において、ピルファープルーフバンド下端から指先を掛けて、オーバーキャップを取り外すことを防止することを特徴とするから、オーバーキャップ付きストレート缶の初期開封前にオーバーキャップを取り外す不正開封を防止することが可能である。
【００１１】
また、本発明の請求項２記載の発明は、前記ストレート缶の、前記ストレート缶と前記ピルファープルーフバンドとが接する箇所の直下および直上に、それぞれ凸部を形成することにより、前記ピルファープルーフバンドの切除前において、ピルファープルーフバンド下端から指先を掛けて、オーバーキャップを取り外すことを防止するとともに、オーバーキャップの上方向への移動を阻止することを特徴とするから、オーバーキャップ付きストレート缶の初期開封前にオーバーキャップを取り外す不正開封をより確実に防止することが可能である。
【００１２】
また、本発明の請求項３記載の発明は、前記ストレート缶の、前記ストレート缶と前記ピルファープルーフバンドとが接する箇所の直下および直上に、それぞれ凸部を形成するとともに、前記凸部間の前記ストレート缶の外径を大きく形成することにより、ピルファープルーフバンドをストレート缶に密着させたことを特徴とするから、ピルファープルーフバンドとストレート缶とが強固に接するため、初期開封前においてオーバーキャップを取り外す不正開封をより確実に防止することが可能である。
【００１３】
また、本発明の請求項４記載の発明は、前記ストレート缶の、前記ストレート缶と前記ピルファープルーフバンドとが接する箇所の直下又は直上に形成した、前記凸部の頂点部分に、ストレート部を設けたことを特徴とするから、複数のストレート缶を並べた際に、ストレート缶同士のぶつかりで、凸部同士が接して、凸部の傷つきや印刷の剥離等を防ぐことが可能である。
【発明を実施するための最良の形態】
【００１４】
本発明に係るオーバーキャップ付きストレート缶１０は、図１（ａ）に示すように、金属製のストレート缶１と、該ストレート缶１上方の開口部分Ｋを覆うオーバーキャップ２０とからなり、該オーバーキャップ２０は、着脱自在なオーバーキャップ本体２と、初期開封時にのみ切除されるピルファープルーフバンド３とが薄肉部５を介して一体に形成されている。
【００１５】
そして、このオーバーキャップ付きストレート缶１０の初期開封時には、オーバーキャップ２の下方に延設されたピルファープルーフバンド３の、つまみ部２１をつまみ引くことにより、弱化部２２を起点に円周方向へとピルファープルーフバンド３が切除されて、図１（ｂ）に示すように、初めてオーバーキャップ２の取り外しが可能である。
【００１６】
このように、ピルファープルーフバンド３を切除した後において、初めてオーバーキャップ本体２を取り外すことが可能となるため、商品購入前にオーバーキャップ付きストレート缶１０の不正開封を防止する効果を奏するものである。
【００１７】
以下に、本発明のオーバーキャップ付きストレート缶１０の、前記ピルファープルーフバンド付きオーバーキャップ２０および前記ストレート缶１の構成について説明する。
まず、前記ピルファープルーフバンド付きオーバーキャップ２０はポリエチレン、ポリプロピレン等の合成樹脂によって一体成形されたものであり、その構造は、図２（ａ）（ｂ）に示すように、円形状の天面６と、該天面６の外周縁より下方へと側面４を有し、オーバーキャップ本体２を構成している。そして、該オーバーキャップ本体２の前記側面４よりさらに下方へと、薄肉部５を介してリング状のピルファープルーフバンド３が一体に形成されている。また、前記オーバーキャップ本体２の前記側面４の内側には、凹状のくぼみからなる掛止部９が形成されており、後述する、ストレート缶１の上縁に形成された巻締部１１を、オーバーキャップ本体２の前記掛止部９へと掛止することにより、オーバーキャップ本体２をストレート缶１へと着脱自在としている。
【００１８】
そして、前記ピルファープルーフバンド３は、該ピルファープルーフバンド３を切除する際に持ち手となるつまみ部２１が形成され、該つまみ部２１の基端部分に弱化部２２が形成されている。そして、オーバーキャップ２０の初期開封時、前記つまみ部２１をつまんで円周方向へと引くことにより、弱化部２２が破断されるとともに円周方向に沿って薄肉部５が破断しつつピルファープルーフバンド３が切除される。このようにして、オーバーキャップ付きストレート缶１０の初期開封を行い、オーバーキャップ本体２を開封することが可能である。
【００１９】
次に、本発明のオーバーキャップ付きストレート缶１０の前記ストレート缶１について説明する。
前記ストレート缶１の一例としては、例えば、図３に示すように、金属製の円筒部材からなる胴部１２と、該胴部１２の上端に巻締部１１によって固定された金属製の縁部１３とを備えている。該縁部１３の内側部分には、内容物を取り出すための開口Ｋが形成され、この開口部分Ｋを覆う図示しない蓋部等を備えてもよい。
【００２０】
そして、前記ストレート缶１の前記胴部１２上方部分には、該胴部１２の外周に沿って凸形状の凸部７が前記胴部１２の一周にわたって形成されている。この凸部７は、断面視で略半円弧形状の膨らみからなり、後述する、ピルファープルーフバンドの下端部分が、前記凸部の上部膨らみに当接して、ピルファープルーフバンドの下端部分へと指先を掛けてオーバーキャップを持ち上げることを防止することが可能である。
【００２１】
すなわち、初期開封前のオーバーキャップ付きストレート缶１０は、図４に示すように、ストレート缶１とピルファープルーフバンド３とが接する箇所Ｔの、直下に凸部７が形成されている。よって、ピルファープルーフバンド３の下端部分が、凸部７の登り斜面若しくは凸部７の基点部分に、当接した状態となっており、ピルファープルーフバンドの下端へと指先を挿入もしくは掛けることを阻止している。これにより、ピルファープルーフバンドの下端部分に指先等を挿入もしくは掛けて、オーバーキャップ２を取り外すことを防止することが可能である。
【００２２】
このように、本発明のオーバーキャップ付きストレート缶１０は、前記ピルファープルーフバンド３と前記ストレート缶１との当接する箇所Ｔの直下において、凸部７を形成する簡単な構成により、初期開封前にオーバーキャップ２０を不正開封することを防止することが可能である。
【００２３】
次に、本発明のオーバーキャップ付きストレート缶１０の別の一例を示す。
例えば、本発明のオーバーキャップ付きストレート缶１０は、図５に示すように、前記ストレート缶１の、前記ピルファープルーフバンド３と前記ストレート缶１とが接する箇所Ｔの直下に、前記凸部７を形成するとともに、ピルファープルーフバンド３とストレート缶１とが接する箇所Ｔの直上に、凸部７'を形成してもよく、これによりピルファープルーフバンド３の下端からの指先によるアクセスを防止するとともに、前記オーバーキャップ２０が上方へと移動することを阻止することが可能である。
【００２４】
この場合、ピルファープルーフバンド３とストレート缶１とが当接する箇所Ｔの直下において、ストレート缶１の外周に沿って凸形状の凸部７を形成するとともに、ピルファープルーフバンド３とストレート缶１とが当接する箇所Ｔの直上において、ストレート缶１の外周に沿って凸形状の凸部７'を形成する。
【００２５】
このようにして、ピルファープルーフバンド３とストレート缶１とが当接する箇所の、ピルファープルーフバンド部分を、上下の凸部７，７'で挟み込むことにより、ピルファープルーフバンド３の下端へと指先が掛かることを防止するとともに、たとえオーバーキャップ３を上方へ押し上げても、ピルファープルーフバンド３と凸部７'が当接して、オーバーキャップ２０の上方向への移動を阻止することが可能である。
【００２６】
また、本発明のオーバーキャップ付きストレート缶１０のさらに別の例としては、例えば、図６に示すように、前記ストレート缶１と前記ピルファープルーフバンド３とが当接する箇所Ｔのストレート缶の外径８を、大きく形成してもよく、ピルファープルーフバンド３とストレート缶１とがより強く密着して、前記ピルファープルーフバンド３をより取り外しにくくすることが可能である。
【００２７】
この場合、ピルファープルーフバンド３とストレート缶１とが当接する箇所Ｔの直下および直上に、ストレート缶１の外周に沿って前記凸部７'、７を形成するとともに、該上下の凸部間７'、７のストレート缶の外径８を、他部分のストレート缶の外径よりΔｇだけ大きく形成する。これにより、ピルファープルーフバンド３がストレート缶１の外周へとより強固に密着するためピルファープルーフバンド３がさらに外れにくくなる。
よって、ピルファープルーフバンド３の切除前において、ピルファープルーフバンド３下端に指先等を挿入もしくは掛けてオーバーキャップ２０を取り外すことを、より確実に防止することが可能であるとともに、たとえオーバーキャップ２０を押し上げてもオーバーキャップ２０の上方向への移動を阻止することが可能である。
【００２８】
以上のように、本発明のオーバーキャップ付きストレート缶１０は、ピルファープルーフバンド３とストレート缶１とが当接する箇所Ｔの直下、又は前記当接箇所Ｔの直下および直上において、前記ストレート缶１の外周に凸部７を形成し、さらには、前記ピルファープルーフバンド３とストレート缶１とが当接する箇所Ｔの前記ストレート缶の外径を大きく形成する簡単な構成により、初期開封前のオーバーキャップ２０を取り外す不正開封を確実に防止することが可能である。
【００２９】
また、前記凸部７、７'は、図７に示すように、前記凸部の頂点部分を平坦な部分からなるストレート部Ｓとしてもよく、複数の缶同士が接した際に凸部７同士がぶつかっても、凸部７のストレート部Ｓ同士が接するため、凸部７の表面に傷がつくことを防止して、凸部７の印刷が剥離してしまうことを防ぐ効果がある。
【００３０】
前記オーバーキャップ２０としては、低密度ポリエチレン、線状低密度ポリエチレン、中密度ポリエチレン、高密度ポリエチレン、ポリプロピレン等のオレフィン樹脂を射出成形して形成することができる。また、前記ストレート缶１としては、ストレート缶の胴部の上端に巻締部１１によって固定された金属製の縁部１３を有する３ピースの金属缶のみならず、前記巻締部１１に丸型環状縁部を有する紙またはプラスチックと金属箔、金属または金属酸化物の蒸着膜、ポリ塩化ビニリデンフィルム、ポリアクリロニトリル樹脂、エチレン−酸化ビニル共重合体等のガスバリア材料の複合材料からなる缶等を適用してもよい。
【００３１】
また、本発明のオーバーキャップ付きストレート缶１０の使用用途の一例としては、粉ミルクに限らず、お茶、海苔、ふりかけ、粉末コーヒー等の食品のみならず、取り扱いに慎重を要する医薬品、液体塗料、接着剤、オイル等が挙げられる。
【図面の簡単な説明】
【００３２】
【図１】本発明のオーバーキャップ付きストレート缶を示す図である。  （ａ）初期開封前の状態を示す図である。  （ｂ）開封後の状態を示す説明図である。
【図２】オーバーキャップを示す図である。  （ａ）一部切断説明図である。  （ｂ）横断面図である。
【図３】ストレート缶を示す図である。  （ａ）横断面図である。  （ｂ）全体図である。
【図４】本発明のオーバーキャップ付きストレート缶を示す説明図である。  （ａ）一部切断説明図である。  （ｂ）横断面図である。
【図５】本発明のオーバーキャップ付きストレート缶の別の例を示す説明図である。  （ａ）一部切断説明図である。  （ｂ）横断面図である。
【図６】オーバーキャップ付きストレート缶のさらに別の例を示す説明図である。  （ａ）一部切断説明図である。  （ｂ）横断面図である。
【図７】オーバーキャップ付きストレート缶のさらに別の例を示す説明図である。  （ａ）一部切断説明図である。  （ｂ）横断面図である。
【図８】従来のオーバーキャップ付きストレート缶を示す説明図である。  （ａ）一部切断説明図である。  （ｂ）横断面図である。
【図９】（ａ）（ｂ）従来のオーバーキャップ付きストレート缶を示す説明図である。
【符号の説明】
【００３３】
１  ストレート缶
２  オーバーキャップ（オーバーキャップ本体）
３  ピルファープルーフバンド
４  オーバーキャップ側面（側面）
５  薄肉部
６  オーバーキャップ天面（天面）
７  凸部
７'  凸部
８  大きな外径を有するストレート缶部分
９  掛止部
１０  オーバーキャップ付きストレート缶
１１  巻締部
１２  胴部
１３  縁部
２０  オーバーキャップ（ピルファープルーフバンド付きオーバーキャップ）
２１  つまみ部
２２  弱化部
Ｔ  ピルファープルーフバンドとストレート缶とが接する箇所（当接する箇所）
Ｘ  ピルファープルーフバンドの下端部分
【図１】
2008207828.tif 000003
【図２】
2008207828.tif 000004
【図３】
2008207828.tif 000005
【図４】
2008207828.tif 000006
【図５】
2008207828.tif 000007
【図６】
2008207828.tif 000008
【図７】
2008207828.tif 000009
【図８】
2008207828.tif 000010
【図９】
2008207828.tif 000011